(57)【要約】【課題】ジャム発生前の原稿の向きとジャム発生後の再セット原稿の向きが異なることを使用者に警告する。【解決手段】画像読取装置は、原稿を搬送する原稿搬送部、搬送原稿を読み取る画像読取部、記憶部、表示部、操作部、制御部を含む。制御部はジャム発生前に読み取った読取済枚数を認識する。ジャム発生後、全原稿が再セットされた状態で再開された読取では、制御部は読取済枚数分の原稿を搬送させる。制御部は読取済枚数分の原稿のうち確認対象原稿を画像読取部に読み取らせる。ジャム発生前の確認対象原稿に対応する画像データと、読取再開後の確認対象原稿の画像データとの比較に基づき、制御部は、原稿の向きが異なるか否かを判定する。異なると判定したとき、制御部は表示部に警告させる。【選択図】図８
2018186365.tif 000002
【特許請求の範囲】
【請求項１】
原稿トレイにセットされた原稿を１枚ずつ搬送する原稿搬送部と、
前記原稿搬送部により搬送される原稿を読み取り、読取画像データを生成する画像読取部と、
前記読取画像データを記憶する記憶部と、
表示を行う表示部と、
使用者の操作を受け付ける操作部と、
ジャムの発生前の読み取りでページ全体を読み取ることができた原稿の枚数である読取済枚数を認識し、
ジャム発生後、全原稿が前記原稿搬送部に再セットされた状態で読み取りを再開する場合、
再セットされた原稿の１枚目から前記読取済枚数分の原稿のうち、何れか１枚の原稿を確認対象原稿に設定し、
前記読取済枚数分の原稿を前記原稿搬送部に搬送させ、
前記読取済枚数分の原稿のうち、前記確認対象原稿以外の原稿を前記画像読取部に読み取らせず、前記確認対象原稿のみを前記画像読取部に読み取らせ、
前記読取済枚数分の原稿の搬送後、前記原稿トレイに残っている原稿である残原稿の搬送を前記原稿搬送部に一時停止させ、
前記ジャムの発生前の読み取りで得られた前記確認対象原稿に対応する前記読取画像データである第１画像データと、読み取り再開後に前記確認対象原稿を読み取って得られた第２画像データを比較し、
前記第１画像データと前記第２画像データの比較に基づき、原稿の向きが異なるか否かを判定し、
原稿の向きが異なると判定したとき、前記表示部に警告を表示させる制御部と、を含むことを特徴とする画像読取装置。
【請求項２】
前記警告の表示後、前記操作部が回転読み取り指示を受け付けたとき、
前記制御部は、
前記残原稿の搬送を前記原稿搬送部に開始させ、
前記残原稿を前記画像読取部に読み取らせ、
前記残原稿の前記読取画像データを回転し、
前記ジャムの発生前に生成された前記読取画像データと、前記残原稿の前記読取画像データの向きを一致させることを特徴とする請求項１に記載の画像読取装置。
【請求項３】
前記警告の表示後、前記操作部が回転不要指示を受け付けたとき、
前記制御部は、
前記残原稿の搬送を前記原稿搬送部に開始させ、
前記残原稿を前記画像読取部に読み取らせ、
前記残原稿の前記読取画像データを回転しないことを特徴とする請求項１又は２に記載の画像読取装置。
【請求項４】
前記第１画像データと前記第２画像データを比較するとき、
前記制御部は、
前記第１画像データと前記第２画像データが同じか否かを判定する１次判定を行い、
前記１次判定で同じでないと判定したとき、前記第２画像データを回転させた回転画像データを生成し、
前記第１画像データと前記回転画像データが同じか否かを判定する２次判定を行い、
前記２次判定で同じと判定したとき、原稿の向きが異なると判定し、
前記２次判定で同じでないと判定したとき、正しい原稿の再セットを求めるメッセージを前記表示部に表示させることを特徴とする請求項１乃至３の何れか１項に記載の画像読取装置。
【請求項５】
前記１次判定で同じと判定したとき、
前記制御部は、
前記残原稿の搬送を前記原稿搬送部に開始させ、
前記残原稿を前記画像読取部に読み取らせ、
前記残原稿の前記読取画像データを回転しないことを特徴とする請求項４に記載の画像読取装置。
【請求項６】
前記警告の表示後、前記操作部が逐次確認指示を受け付けたとき、
前記制御部は、
前記逐次確認指示、回転あり指示、又は、回転なし指示を受けるごとに、前記残原稿のうち、１枚のみを前記原稿搬送部に搬送させ、
搬送される１枚の前記残原稿を前記画像読取部に読み取らせ、
前記残原稿を読み取るごとに、前記残原稿の読み取りで得られた前記読取画像データを縮小した第１縮小画像を前記表示部に表示させ、
前記第１縮小画像の表示後、前記操作部が前記回転あり指示を受け付けたとき、前記第１縮小画像に対応する前記読取画像データを回転させ、
前記第１縮小画像の表示後、前記操作部が前記回転なし指示を受け付けたとき、前記第１縮小画像に対応する前記読取画像データを回転させないことを特徴とする請求項１乃至５の何れか１項に記載の画像読取装置。
【請求項７】
前記残原稿のうち、先頭ページの原稿に対応する前記第１縮小画像を表示するとき、
前記制御部は、前記第１縮小画像とともに、前記ジャムの発生前に生成された前記読取画像データのうち、最後のページの原稿の前記読取画像データの縮小画像である第２縮小画像を表示させることを特徴とする請求項６に記載の画像読取装置。
【請求項８】
前記確認対象原稿は、ジャム発生後、読み取り再開時に搬送する前記読取済枚数の原稿のうち、最後の原稿であることを特徴とする請求項１乃至７の何れか１項に記載の画像読取装置。
【請求項９】
前記制御部は、前記読取画像データを回転するとき、１８０度回転させることを特徴とする請求項１乃至８の何れか１項に記載の画像読取装置。
【発明の詳細な説明】
【技術分野】
【０００１】
本発明は、原稿を読みとって画像データを生成する画像読取装置に関する。
【背景技術】
【０００２】
画像読取装置は、セットされた原稿を読み取って画像データを生成する。そして、自動原稿供給装置（ＡＤＦ）を画像読取装置に設けることがある。自動原稿供給装置は、自動的、連続的にセットされた原稿を１枚ずつ送り出す。画像読取装置は搬送される原稿を読み取る。これにより、使用者は原稿を１枚ずつ原稿台にセットしなくてすむ。このような自動原稿供給装置に関する技術の一例が特許文献１に記載されている。
【０００３】
具体的に、特許文献１には、原稿を読み取り、少なくとも１枚目の原稿の画像情報を記憶し、記憶された画像情報をシートに画像形成して出力し、画像形成途中にジャムが発生して原稿を再度読取る際に、記憶されたジャム発生前の原稿の１枚目の画像情報とジャム発生後に再度読取った１枚目の原稿の画像情報とを比較し、比較した画像情報が同一でない場合に警告を発する画像処理装置が記載されている。この構成により、オペレータの再設定のミスを低減させ、無駄なコピーをなくそうとする（特許文献１：請求項１、段落［０００９］参照）。
【先行技術文献】
【特許文献】
【０００４】
【特許文献１】特開２００５−３４１３５７号公報
【発明の概要】
【発明が解決しようとする課題】
【０００５】
画像読取装置（スキャナー）には、自動原稿供給装置を含むものがある。そして、自動原稿供給装置では、原稿のジャム（詰まり）が発生することがある。原稿のジャムが発生したとき、使用者はジャム処理を行う。ジャム処理のとき、使用者は、搬送経路に詰まった原稿を取り除く。原稿の除去後、原稿の読み取りが再開される。
【０００６】
ジャム発生後、読み取りを再開するとき、全原稿の再セットを求める自動原稿供給装置がある。再セットされた原稿には、読取済の原稿が含まれる。読取済原稿はジャム発生前に読み取りが完了し、画像データ生成済の原稿である。全原稿の再セットを求める自動原稿供給装置では、読取済原稿は空送りされる。空送りとは、読み取りを行わない原稿の搬送である。
【０００７】
全原稿を再セットするとき、使用者は、原稿の向きを逆にしてしまうことがある。言い換えると、ジャム発生前の原稿の向きと異なるように、原稿が再セットされることがある。原稿の向きが異なるまま読み取りが再開された場合、使用者の意図に反する結果となることがある。具体的に、再開後の読み取りで得られた画像データが意図する向きと反対向きになることがある。このように、ジャム発生時、原稿の画像データの向きがバラバラになることがあるという問題がある。
【０００８】
特許文献１記載の画像処理装置では、ジャム発生前にセットした原稿と異なる原稿がセットされた場合、警告が出される。しかし、セット原稿の向きについては考慮されていない。つまり、ジャム発生前とジャム発生後で原稿の向きが異なることを警告することができない。再セット原稿について、正確な情報を知らせることができない。なお、特許文献１記載の技術では、ジャム発生前後で原稿の向きが異なる場合、警告が出る可能性がある。しかし、セットする原稿自体はジャム発生前後で変わらない。特許文献１記載の技術では、警告により使用者を混乱させるおそれがある。
【０００９】
本発明は上記従来技術の問題点に鑑み、ジャム発生前のセット原稿の向きとジャム発生後の再セット原稿の向きが異なることを使用者に警告できるようにする。
【課題を解決するための手段】
【００１０】
上記目的を達成するため、請求項１に係る画像読取装置は、原稿搬送部、画像読取部、記憶部、表示部、操作部、制御部を含む。前記原稿搬送部は、原稿トレイにセットされた原稿を１枚ずつ搬送する。前記画像読取部は、前記原稿搬送部により搬送される原稿を読み取り、読取画像データを生成する。前記記憶部は、前記読取画像データを記憶する。前記表示部は、表示を行う。前記操作部は使用者の操作を受け付ける。前記制御部は、ジャムの発生前の読み取りでページ全体を読み取ることができた原稿の枚数である読取済枚数を認識する。ジャム発生後、全原稿が前記原稿搬送部に再セットされた状態で読み取りを再開する場合、前記制御部は、再セットされた原稿の１枚目から前記読取済枚数分の原稿のうち、何れか１枚の原稿を確認対象原稿に設定する。前記制御部は、前記読取済枚数分の原稿を前記原稿搬送部に搬送させる。前記制御部は、前記読取済枚数分の原稿のうち、前記確認対象原稿以外の原稿を前記画像読取部に読み取らせない。前記制御部は、前記確認対象原稿のみを前記画像読取部に読み取らせる。前記読取済枚数分の原稿の搬送後、前記制御部は、前記原稿トレイに残っている原稿である残原稿の搬送を前記原稿搬送部に一時停止させる。前記制御部は、前記ジャムの発生前の読み取りで得られた前記確認対象原稿に対応する前記読取画像データである第１画像データと、読み取り再開後に前記確認対象原稿を読み取って得られた第２画像データを比較する。前記制御部は、前記第１画像データと前記第２画像データの比較に基づき、原稿の向きが異なるか否かを判定する。原稿の向きが異なると判定したとき、前記制御部は、前記表示部に警告を表示させる。
【発明の効果】
【００１１】
本発明によれば、ジャム発生前のセット原稿の向きと再セット原稿（ジャム発生後に再セットされた原稿）の向きが一致するか否かを判定することができる。原稿の向きが異なるとき、使用者に警告することができる。
【図面の簡単な説明】
【００１２】
【図１】実施形態に係る複合機の一例を示す図である。
【図２】実施形態に係る複合機での原稿読み取りに関する部分の一例を示す図である。
【図３】実施形態に係る複合機での原稿読み取りに関する部分の一例を示す図である。
【図４】実施形態に係る複合機での送り読み取り時の基本的な処理の流れの一例を示すフローチャートである。
【図５】実施形態に係る複合機でのジャム発生の検知の流れの一例を示すフローチャートである。
【図６】実施形態に係る複合機でのジャム発生時の処理の流れの一例を示すフローチャートである。
【図７】実施形態に係る再セット要求画面の一例を示す図である。
【図８】実施形態に係る複合機での再セット原稿の向き確認処理の流れの一例を示すフローチャートである。
【図９】実施形態に係る残原稿の読み取り設定処理の一例を示すフローチャートである。
【図１０】実施形態に係る警告画面の一例を示す図である。
【図１１】実施形態に係る回転確認画面の一例を示す図である。
【発明を実施するための形態】
【００１３】
以下、図１〜図１１を用い、実施形態に係る画像読取装置を説明する。画像読取装置として、複合機１００を例に挙げて説明する。本実施形態の説明に記載されている構成、配置等の各要素は、発明の範囲を限定せず単なる説明例にすぎない。
【００１４】
（複合機１００）
図１を用いて、実施形態に係る複合機１００を説明する。図１は、実施形態に係る複合機１００の一例を示す図である。図１に示すように、複合機１００は、制御部１、記憶部２、印刷部３、原稿搬送部４、画像読取部５、操作パネル６、通信部７を含む。
【００１５】
制御部１は、複合機１００の全体制御を司る。制御部１は、ＣＰＵ１１と画像処理部１２を含む。記憶部２は、ＲＯＭ、フラッシュＲＯＭ、ストレージ（ＨＤＤ）のような不揮発性の記憶装置を含む。記憶部２はＲＡＭのような揮発性の記憶装置を含む。制御部１は、記憶部２に記憶されたプログラムやデータを利用して各部を制御する。制御部１は、コピーや送信のようなジョブでのスキャンを制御する。また、制御部１は、印刷、送信、画像データの記憶を制御する。画像処理部１２は、画像読取部５が生成した画像データに画像処理を行う。例えば、画像処理部１２は、画像データの回転処理を行う。
【００１６】
印刷部３は、給紙部３ａ、用紙搬送部３ｂ、画像形成部３ｃ、定着部３ｄを含む。印刷ジョブのとき、制御部１は用紙を給紙部３ａに供給させる。制御部１は用紙を用紙搬送部３ｂに搬送させる。用紙搬送部３ｂは印刷済み用紙を機外に排出する。制御部１は画像データに基づくトナー像を画像形成部３ｃに形成させる。制御部１は搬送用紙へのトナー像の転写を画像形成部３ｃに行わせる。制御部１は転写されたトナー像の用紙への定着を定着部３ｄに行わせる。このように、制御部１は印刷部３の動作を制御する。
【００１７】
操作パネル６は、表示パネル６１（表示部に相当）、タッチパネル６２（操作部に相当）、ハードキー６３（操作部に相当）を含む。制御部１は、メッセージや、設定用画面を表示パネル６１に表示させる。また、制御部１は、操作用画像を表示パネル６１に表示させる。例えば、操作用画像は、ボタン、キー、タブである。タッチパネル６２の出力に基づき、制御部１は、表示された操作用画像のうち、操作されたものを認識する。ハードキー６３は、スタートキーやテンキーを含む。タッチパネル６２、ハードキー６３は使用者の設定操作（ジョブに関する操作）を受け付ける。制御部１は操作パネル６と通信する。制御部１は設定内容を認識する。
【００１８】
通信部７は、コンピューター２００やＦＡＸ装置３００と通信可能に接続される。コンピューター２００は、例えば、ＰＣやサーバーである。コンピューター２００やＦＡＸ装置３００が操作パネル６で宛先に設定される。制御部１は、設定された宛先に向けて、原稿の読み取りに基づく画像データを通信部７に送信させる（スキャン送信、ＦＡＸ送信）。また、通信部７は、コンピューター２００やＦＡＸ装置３００からの印刷用データを受信する。制御部１は、受信した印刷用データに基づき印刷部３に印刷させる（プリントジョブ、ＦＡＸ受信印刷）。
【００１９】
（原稿搬送部４と画像読取部５）
次に、図２、３を用いて、実施形態に係る複合機１００での原稿読み取りに関する部分を説明する。図２、図３は、実施形態に係る複合機１００での原稿読み取りに関する部分の一例を示す図である。
【００２０】
図２に示すように、原稿搬送部４は画像読取部５の上方に設けられる。原稿搬送部４は、画像読取部５に対し上下方向に開閉する。原稿搬送部４は原稿を上方から押さえるカバーとして機能する。原稿搬送部４は、セットされた原稿を１枚ずつ送り読取用コンタクトガラス５１（読み取り位置）に向けて搬送する。画像読取部５は、原稿搬送部４により搬送される原稿を読み取る。そして、画像読取部５は読取画像データＤ１を生成する。記憶部２は読取画像データＤ１を記憶する。例えば、記憶部２のストレージに読取画像データＤ１が記憶される。
【００２１】
原稿搬送部４は、原稿搬送方向上流側から順に、原稿トレイ４１、供給ローラー４２、原稿搬送路４３、複数の搬送ローラー対４４、排出ローラー対４５、排出トレイ４６を含む。原稿トレイ４１には、原稿セットセンサー８１が設けられる。また、原稿搬送路４３には、原稿排出センサー８２、原稿検知センサー８３が設けられる。
【００２２】
図３に示すように、原稿搬送制御部４０が原稿搬送部４内に設けられる。原稿搬送制御部４０はＣＰＵやメモリーを含む基板である。原稿セットセンサー８１の出力は原稿搬送制御部４０に入力される。原稿搬送制御部４０は、原稿セットセンサー８１の出力に基づき、原稿トレイ４１上の用紙の有無を認識する（検知する）。原稿搬送制御部４０は、制御部１に原稿トレイ４１上の用紙の有無を制御部１に通知してもよい。制御部１は、原稿トレイ４１上の用紙の有無を認識できる。
【００２３】
原稿排出センサー８２は、排出トレイ４６への原稿排出完了を検知するためのセンサーである。原稿排出センサー８２は排出ローラー対４５の近傍に設けられる。原稿排出センサー８２は排出ローラー対４５の搬送方向上流側に設けられる。原稿排出センサー８２の出力は原稿搬送制御部４０に入力される。原稿検知センサー８３は、センサー設置位置への原稿の到達と通過を検知するためのセンサーである。原稿検知センサー８３は、給紙ローラーと送り読取用コンタクトガラス５１の間の搬送経路に設けられる。原稿検知センサー８３は、送り読取用コンタクトガラス５１の近傍に設けられる。原稿検知センサー８３の出力も原稿搬送制御部４０に入力される。
【００２４】
原稿読取ジョブの実行指示が操作パネル６になされたとき（スタートキーが操作されたとき）、制御部１は、原稿搬送制御部４０と通信する。原稿読取ジョブには、例えば、コピージョブ、スキャン送信ジョブ、スキャン保存ジョブがある。コピーは、読み取りで得られた画像データに基づき印刷部３に印刷させるジョブである。スキャン保存ジョブは、読み取りで得られた画像データを記憶部２（ストレージ）に不揮発的に記憶させるジョブである。
【００２５】
原稿読取ジョブを開始するとき、制御部１は原稿トレイ４１にセットされた原稿があるか否かを確認する。原稿トレイ４１に原稿があるとき、制御部１は原稿搬送指示を出す。この指示を受け、原稿搬送制御部４０は原稿搬送モーター４７を駆動させる。原稿搬送モーター４７により、供給ローラー４２や搬送ローラー対４４が回転する。そして原稿は読み取り位置に向けて搬送される。原稿は、送り読取用コンタクトガラス５１の上側（一方側）を通過する。送り読取用コンタクトガラス５１は、画像読取部５の上面に設けられる。通過の際、画像読取部５（読取ユニット５３）が原稿を読み取る（送り読み取り）。
【００２６】
画像読取部５の上面右側に、載置読取用コンタクトガラス５２が配される。載置読取用コンタクトガラス５２には、書籍のような原稿がセットされる。原稿搬送部４に原稿がセットされていないとき、画像読取部５は、載置読取用コンタクトガラス５２にセットされた原稿に光を照射する。画像処理部１２は原稿の表面を読み取って画像データを生成する（テーブル読み取り）。
【００２７】
図３に示すように、画像読取部５には、読取制御部５０が設けられる。読取制御部５０は画像読取部５の動作を制御する。読取制御部５０は、ＣＰＵ、メモリー、その他の回路を含む基板である。読取制御部５０は、制御部１からの指示、信号を受け、原稿の読み取りを行う。
【００２８】
図２に示すように、画像読取部５は、読取ユニット５３、ワイヤー５４、巻取ドラム５５を含む。読取ユニット５３は、ＣＩＳ方式のスキャンユニットである。ワイヤー５４は読取ユニット５３と巻取ドラム５５に接続される。巻取ドラム５５は、正逆回転する巻取モーター５６（図３参照）により回転する。テーブル読み取りのとき、読取制御部５０は、巻取ドラム５５を回転させる。これにより、読取ユニット５３は水平方向（副走査方向、図２の左右方向）に移動する。送り読み取りのとき、読取制御部５０は、送り読取用コンタクトガラス５１の下方に読取ユニット５３を配置する。
【００２９】
図３に示すように、読取ユニット５３はランプ５３ａとイメージセンサー５３ｂを含む。ランプ５３ａは原稿に光を照射する。イメージセンサー５３ｂは主走査方向に並べられた複数の受光素子（画素）を含む。各受光素子は反射光量に応じたアナログ電気信号を出力する。画像読取部５は画像データ生成部５７を含む。画像データ生成部５７は、Ａ／Ｄ変換部５７ａ、補正部５７ｂ、画像メモリー５７ｃを含む。Ａ／Ｄ変換部５７ａは、イメージセンサー５３ｂの各受光素子のアナログ信号を補正する。また、Ａ／Ｄ変換部５７ａは、補正後の各受光素子のアナログ信号をディジタル値に変換する（例えば、８ビットや１０ビット）。補正部５７ｂは、読み取りに起因する画像の濃度の歪みを補正する処理を行う。例えば、補正部５７ｂはシェーディング補正を行う。画像データ生成部５７により生成された各ラインの画像データは、画像メモリー５７ｃに蓄積される。
【００３０】
このように、画像読取部５は、原稿読み取りに基づく読取画像データＤ１を生成する。画像メモリー５７ｃに蓄積された画像データは、記憶部２に送信される。つまり、各原稿の読取画像データＤ１は、記憶部２に送信される。
【００３１】
（送り読み取り時の基本的な処理の流れ）
次に、図４を用いて、送り読み取り時の基本的な処理の流れの一例を説明する。図４は、実施形態に係る複合機１００での送り読み取り時の基本的な処理の流れの一例を示すフローチャートである。
【００３２】
図４のスタートは、原稿読取ジョブを開始する時点である。例えば、操作パネル６のスタートキー（ハードキー６３）が操作された時点である。原稿読取ジョブに関する設定は既になされている。また、送り読み取りを行うので、原稿が原稿トレイ４１にセットされている。原稿セットセンサー８１の出力に基づき、制御部１は原稿トレイ４１への原稿セットを認識している。
【００３３】
読取制御部５０は、ジョブ開始からページ全体を読み取った（読み取ることができた）原稿の枚数のカウントを開始する（ステップ♯１１）。ジョブ開始時点では、カウント値は０である。以後、原稿のページ全体を読み取るごとに、読取制御部５０は、カウント値を更新する。具体的に、読取制御部５０は、原稿のページ全体を読み取るごとにカウント値に１を加算する。
【００３４】
制御部１は、原稿トレイ４１にセットされた原稿（セット原稿）の搬送を原稿搬送部４に開始させる（ステップ♯１２）。制御部１は、原稿搬送制御部４０に搬送開始指示を出す。この指示に基づき、原稿搬送制御部４０は、搬送用の回転体を回転させる。原稿が１枚ずつ、送り読取用コンタクトガラス５１に向けて搬送される。以後、原稿搬送制御部４０は、一定の紙間を設けつつ、セット原稿を１枚ずつ、自動的、連続的に搬送する。
【００３５】
原稿の搬送開始後、制御部１は原稿の読み取りを画像読取部５（読取ユニット５３）に開始させる（ステップ♯１３）。制御部１は読取制御部５０に読取開始指示を出す。この指示に基づき、読取制御部５０は、搬送される原稿を１枚ずつ、読取ユニット５３に読み取らせる。これにより、原稿の各ページの読取画像データＤ１が記憶部２に記憶される。
【００３６】
ここで、原稿検知センサー８３が原稿搬送路４３に設けられる（図２参照）。原稿検知センサー８３は、例えば、光センサーである。原稿検知センサー８３は、原稿の存在を検知しているとき第１レベルを出力する。原稿検知センサー８３は、原稿の存在を検知していないとき第２レベルを出力する。原稿検知センサー８３の出力に基づき、原稿検知センサー８３の設置位置への原稿の到達と通過を検知することができる。
【００３７】
原稿検知センサー８３の出力は、原稿搬送制御部４０、読取制御部５０に入力される。出力が第２レベルから第１レベルに変化したとき、原稿搬送制御部４０と読取制御部５０は、原稿検知センサー８３の設置位置に原稿の先端が到達したと認識する。出力が第１レベルから第２レベルに変化したとき、原稿搬送制御部４０と読取制御部５０は、原稿後端が原稿検知センサー８３の設置位置を通過したと認識する。
【００３８】
原稿の先端到達を認識してから予め定められた待ち時間が経過したとき、読取制御部５０は、読取ユニット５３に１ページの読み取りを開始させる。待ち時間は、原稿検知センサー８３の設置位置から読取ユニット５３の読取ラインまでの距離を仕様上の原稿搬送速度で除した時間とできる。また、原稿の後端通過を認識してから待ち時間が経過したとき、読取制御部５０は、読取ユニット５３に１ページの読み取りを終了させる。
【００３９】
原稿搬送制御部４０は、全てのセット原稿の搬送が完了したか否かの確認を続ける（ステップ♯１４のＮｏ）。例えば、原稿搬送制御部４０は、原稿セットセンサー８１が用紙無しを検知してから原稿排出センサー８２が原稿の排出完了を検知したとき、全てのセット原稿の搬送が完了したと判定する。全てのセット原稿の搬送が完了していないとき（ステップ♯１４のＮｏ）、原稿搬送制御部４０は、原稿の搬送を継続する（ステップ♯１５）。また、読取制御部５０は、原稿の読みとりを継続する（ステップ♯１６）。そして、フローは、ステップ♯１４に戻る。
【００４０】
全てのセット原稿の搬送が完了したとき（ステップ♯１４のＹｅｓ）、原稿搬送制御部４０は、原稿搬送動作を停止する（ステップ♯１７）。原稿搬送制御部４０は、原稿の搬送完了を制御部１に通知する（ステップ♯１８）。この通知に基づき、制御部１は、原稿読み取りを画像読取部５に終了させる（ステップ♯１９）。例えば、制御部１は、原稿読み取り終了を読取制御部５０に指示する。そして、本フローは終了する。
【００４１】
（原稿搬送のジャム発生の検知）
次に、図５を用いて、実施形態に係る複合機１００でのジャム発生の検知の流れの一例を説明する。図５は、実施形態に係る複合機１００でのジャム発生の検知の流れの一例を示すフローチャートである。図５のフローチャートは、送り読み取りの間、実行される。
【００４２】
図５のスタートは、原稿搬送を開始した時点である。原稿搬送制御部４０は、原稿のジャム（詰まり）が発生したか否かを判定する（ステップ♯２１）。ジャムが発生したと判定する基準は適宜定められる。
【００４３】
例えば、原稿の給紙開始（供給ローラー４２の回転開始）から予め定められた第１時間が経過しても原稿検知センサー８３が原稿の先端到達を検知できないとき、原稿搬送制御部４０は、原稿のジャム（詰まり）が発生したと判定する。第１時間は、第１所要時間に第１マージン時間を加えた時間とできる。第１所要時間は、原稿先端の給紙開始位置から原稿検知センサー８３の設置位置までの搬送距離を仕様上の原稿搬送速度で除した時間である。各ローラーでのスリップを考慮して、第１マージン時間は予め定められる。
【００４４】
また、原稿検知センサー８３の先端到達検知から予め定められた第２時間が経過しても原稿検知センサー８３が原稿の後端通過を検知できないとき、原稿搬送制御部４０は、原稿のジャム（詰まり）が発生したと判定する。第２時間は、第２所要時間＋第２マージン時間を加えた時間とできる。第２所要時間は、原稿の搬送方向の長さを仕様上の原稿搬送速度で除した時間である。原稿トレイ４１に設けられた原稿サイズセンサー（不図示）の出力に基づき、原稿搬送制御部４０は、原稿の搬送方向の長さを認識する。また、操作パネル６で原稿のサイズを設定することもできる。原稿搬送制御部４０は、操作パネル６で設定された原稿のサイズに基づき、原稿の搬送方向の長さを認識してもよい。各ローラーでのスリップを考慮して、第２マージン時間も予め定められる。
【００４５】
原稿搬送制御部４０がジャム発生と認識していないとき（ステップ♯２１のＮｏ）、原稿搬送制御部４０は全原稿の搬送が完了したか否かを判定する（ステップ♯２２）。全原稿の搬送が完了したとき（ステップ♯２２のＹｅｓ）、本フローは終了する（エンド）。原稿トレイ４１に原稿が残っているとき（ステップ♯２２のＮｏ）、フローはステップ♯２１に戻る。
【００４６】
原稿搬送制御部４０がジャム発生と認識したとき（ステップ♯２１のＹｅｓ）、原稿搬送制御部４０は、ジャムの発生を制御部１と読取制御部５０に通知する（ステップ♯２３）。そして、原稿搬送制御部４０は、原稿の搬送を停止する（ステップ♯２４）。この場合、原稿搬送制御部４０は、原稿搬送モーター４７を停止させる。これにより、各ローラーが停止する。また、通知に基づき、読取制御部５０は原稿読み取りを停止する（ステップ♯２５）。
【００４７】
画像読取部５は、現在のカウント値を制御部１に通知する（ステップ♯２６）。これにより、制御部１は、読み取りが完了している原稿の枚数（読取済枚数）を認識する。言い換えると、制御部１は、ページ全体の読取画像データＤ１が生成された原稿は、１枚目から何枚目までかを認識する。通知に基づき、制御部１は、ジャム発生を表示パネル６１に表示させる（ステップ♯２７）。そして、ジャム発生時の処理に移行する（ステップ♯２８→エンド）。
【００４８】
（ジャム発生時の処理）
次に、図２、図６、図７を用いて、実施形態に係る複合機１００でのジャム発生時の処理の流れの一例を説明する。図６は、実施形態に係る複合機１００でのジャム発生時の処理の流れの一例を示すフローチャートである。図７は、実施形態に係る再セット要求画面９１の一例を示す図である。
【００４９】
図６のスタートは、制御部１がジャム発生を表示させた時点である。原稿のジャムが発生したとき、使用者によりジャム処理が行われる（ステップ♯３１）。ジャム処理を行うとき、使用者は、開閉部４８を開ける。図２において、破線で囲う部分が開閉部４８である。開閉部４８は原稿搬送路４３の上側部分である。開閉部４８を上方向に開けることができる。開閉のため、開閉部４８の下側に回転軸４９が設けられる。開閉部４８を開けることにより、原稿搬送路４３が露出する。原稿を容易に取り除くことができる。
【００５０】
やがて、原稿搬送制御部４０は、ジャム処理完了を認識する（ステップ♯３２）。開閉部４８の開閉後、原稿検知センサー８３が原稿の存在を検知していないとき、原稿搬送制御部４０は、ジャム処理が完了したと認識する。なお、開閉部４８の開閉を検知するための開閉検知センサー８４が設けられる（図３参照）。開閉検知センサー８４の出力に基づき、原稿搬送制御部４０は、開閉部４８が開けられたこと、閉じられたことを認識する。
【００５１】
ジャム処理完了を認識したとき、原稿搬送制御部４０は、ジャム処理完了を制御部１に通知する（ステップ♯３３）。この通知に基づき、制御部１は、再セット要求画面９１を表示パネル６１に表示させる（ステップ♯３４）。
【００５２】
図７に示すように、再セット要求画面９１は、原稿の再セットを要求するメッセージを含む。また、再セット要求画面９１は、全原稿を再セットすべきメッセージを含む。このメッセージに基づき、使用者は、原稿排出トレイ４６に排出済の原稿、原稿搬送路４３から取り除いた原稿、原稿トレイ４１に残る原稿をまとめる。そして、使用者は、全原稿を原稿トレイ４１に再セットする。全原稿の再セットが完了したとき、使用者は、再セット完了ボタンＢ１を操作する。タッチパネル６２の出力に基づき、制御部１は、再セット完了ボタンＢ１が操作されたことを認識する（ステップ♯３５）。これにより、本フローは終了し（エンド）、再セット原稿の向き確認処理に移行する。
【００５３】
（再セット原稿の向き確認処理）
次に、図８を用いて、実施形態に係る複合機１００での再セット原稿の向き確認処理の流れの一例を説明する。図８は、実施形態に係る複合機１００での再セット原稿の向き確認処理の流れの一例を示すフローチャートである。
【００５４】
ジャム発生後、原稿を再セットする必要がある。ジャム発生前と逆向きに原稿を再セットしてしまうことがある。使用者が慌てているほどミスが生じ易くなる。ここで、読取済の原稿については、ジャム発生前の読み取りで得られた読取画像データＤ１がジョブに用いられる。そのため、逆向きのまま再セットされた原稿を読み取ったとき、ジャム発生後に生成された読取画像データＤ１の向きは、ジャム発生前に生成された読取画像データＤ１と異なる。その結果、使用者が所望する結果を得られない場合がある。ジャム発生前と発生後で、読取画像データＤ１の向きを一致させるため、複合機１００では、再セットされた原稿の向きを確認する処理を行う。以下、原稿の向き確認処理の流れを説明する。
【００５５】
図８のスタートは、再セット完了ボタンＢ１が操作された時点である。つまり、ジャム発生後、全原稿が原稿搬送部４に再セットされた状態で、制御部１が読み取りを再開させる時点である。
【００５６】
まず、通知されたカウント値（ステップ♯２６、図５）に基づき、制御部１は、読取済枚数（読取画像データＤ１の生成が完了している原稿の枚数）を確認する（ステップ♯４１）。そして、制御部１は、再セットされた原稿の１枚目から読取済枚数分の原稿の排出トレイ４６への搬送を原稿搬送部４に開始させる（ステップ♯４２）。例えば、読取済枚数が５枚の場合、制御部１は、再セットされた原稿のうち、１枚目から５枚目までを排出トレイ４６まで搬送する。
【００５７】
制御部１は、再セットされた原稿の１枚目から読取済枚数分の原稿のうち、何れか１枚の原稿を確認対象原稿に設定する。そして、制御部１は、読取済枚数分の原稿（読取済原稿）のうち、何れか１枚の原稿である確認対象原稿を画像読取部５に読み取らせる（ステップ♯４３）。なお、搬送すべき原稿の内、確認対象原稿以外の原稿に対する読取は行われず、原稿は空送りされる。本説明では、読取済枚数分の原稿のうち、最後の原稿を確認対象原稿とする例を説明する。例えば、読取済枚数が１０ページのとき、制御部１は、１０ページ目を確認対象原稿とする。なお、確認対象原稿は、読取済枚数分の原稿の最後のページでなくてもよい。例えば、読取済枚数が１０ページのとき、制御部１は、９ページ目を確認対象原稿としてもよい。
【００５８】
ステップ♯４３のとき、制御部１は、読取済枚数を原稿搬送制御部４０と読取制御部５０に通知する。また、制御部１は、読取済枚数分の原稿のうち、確認対象原稿が何ページ目かを原稿搬送制御部４０と読取制御部５０に通知する。この通知に基づき、原稿搬送制御部４０は、読取済枚数分の原稿の搬送を開始する。また、この通知に基づき、読取制御部５０は、読取済枚数分の原稿のうち、確認対象原稿のみを読取ユニット５３に読み取らせる。
【００５９】
確認対象原稿の読み取りにより、画像読取部５は確認対象原稿の画像データを生成する（ステップ♯４４）。以下の説明では、ジャム発生前の読み取りで得られた確認対象原稿に対応する読取画像データＤ１を第１画像データと称する。確認対象原稿が読取済枚数分の原稿のうちＮ番目のとき、ジャム発生前の読み取りで得られた読取画像データＤ１のうち、Ｎ番目の原稿の読取画像データＤ１が第１画像データとされる。また、原稿読み取り再開後（原稿の再セット後）の読み取りで得られた確認対象原稿の画像データを第２画像データと称する。
【００６０】
制御部１は、再セットされた原稿の１枚目から読取済枚数分の原稿の搬送を原稿搬送部４に完了させる（ステップ♯４５）。搬送完了後、制御部１は、原稿トレイ４１に残る原稿（残原稿）の搬送を一時停止させる（ステップ♯４６）。制御部１は、残原稿の原稿搬送停止を原稿搬送制御部４０と読取制御部５０に通知する。この通知に基づき、原稿搬送制御部４０は、原稿搬送モーター４７を停止させる。その結果、原稿の搬送が停止される。なお、制御部１は、原稿検知センサー８３が検知するまで残原稿の先頭ページを搬送させた状態で原稿搬送を停止させてもよい。
【００６１】
制御部１（画像処理部１２）は、第１画像データと第２画像データを比較し、１次判定を行う（ステップ♯４７）。１次判定は、第１画像データと第２画像データが同じか否かの判定である。例えば、制御部１は、第１画像データと第２画像データのマッチングを行う。そして、類似度が予め定められた閾値以上のとき、制御部１は、第１画像データと第２画像データが同じと判定する。類似度が予め定められた閾値未満のとき、制御部１は、第１画像データと第２画像データが同じではないと判定する。
【００６２】
また、第１画像データと第２画像データのそれぞれのＯＣＲ処理の結果に基づき、制御部１（画像処理部１２）は１次判定を行ってもよい。この場合、制御部１は、ＯＣＲ処理により、第１画像データに含まれる文字を抽出する。また、制御部１は、ＯＣＲ処理により、第２画像データに含まれる文字を抽出する。抽出した文字の一致率が予め定められた比率以上のとき、制御部１は、第１画像データと第２画像データが同じと判定する。一致率が予め定められた比率未満のとき、制御部１は、第１画像データと第２画像データが同じではないと判定する。
【００６３】
１次判定で同じと判定したとき（ステップ♯４７のＹｅｓ）、再セット原稿は、ジャム発生前のセット原稿と同じとみなすことができる。また、ジャム発生前のセット原稿の向きと、再セット原稿の向きは同じとみなすことができる。そこで、制御部１は、残原稿の搬送を原稿搬送部４に開始させる（ステップ♯４８）。制御部１は、残原稿の搬送開始を原稿搬送制御部４０に通知する。この通知に基づき、原稿搬送制御部４０は、原稿搬送モーター４７の回転を開始させる。これにより、残原稿が１枚ずつ搬送される。
【００６４】
また、制御部１は、各残原稿を画像読取部５に読み取らせる（ステップ♯４９）。制御部１は、各残原稿の読み取りを読取制御部５０に通知する。この通知に基づき、読取制御部５０は、残原稿の各ページを読取ユニット５３に読み取らせる。これにより、各残原稿の読取画像データＤ１が生成される。なお、制御部１は、各残原稿の読取画像データＤ１を回転しない（ステップ♯４１０）。ステップ♯４８〜ステップ♯４１０により、向きが揃った読取画像データＤ１が得られる。そして、本フローは終了する（エンド）。以後、各原稿の読取画像データＤ１に基づき、ジョブが実行される。
【００６５】
１次判定で同じでないと判定したとき（ステップ♯４７のＮｏ）、制御部１は、第２画像データを回転させた回転画像データを生成する。具体的に、制御部１は、第２画像データを１８０度回転させる。そして、制御部１は、第１画像データと回転画像データを比較し、２次判定を行う（ステップ♯４１１）。２次判定は、第１画像データと回転画像データが同じか否かの判定である。
【００６６】
判定手法は、１次判定と基本的に同様でよい。例えば、制御部１は、第１画像データと回転画像データのマッチングを行う。そして、類似度が閾値以上のとき、制御部１は、第１画像データと回転画像データが同じと判定する。類似度が閾値未満のとき、制御部１は、第１画像データと回転画像データが同じではないと判定する。
【００６７】
また、ＯＣＲ処理の結果に基づき、制御部１（画像処理部１２）は２次判定を行ってもよい。この場合、制御部１は、ＯＣＲ処理により、第１画像データに含まれる文字を抽出する。また、制御部１は、ＯＣＲ処理により、回転画像データに含まれる文字を抽出する。抽出した文字の一致率が予め定められた比率以上のとき、制御部１は、第１画像データと回転画像データが同じと判定する。一致率が予め定められた比率未満のとき、制御部１は、第１画像データと回転画像データが同じではないと判定する。
【００６８】
２次判定で同じでないと判定できたとき（ステップ♯４１１のＮｏ）、再セット原稿は、ジャム発生前のセット原稿と異なる原稿を含んでいる。そこで、制御部１は、正しい原稿の再セットを求めるメッセージを表示部に表示させる（ステップ♯４１２）。そして、本フローは終了する（エンド）。原稿トレイ４１からの原稿除去と原稿の再セットがなされたとき、制御部１は、ステップ♯４１から本フローを再度実行する。
【００６９】
２次判定で同じと判定できたとき（ステップ♯４１１のＹｅｓ）、制御部１は、ジャム発生前のセット原稿と、再セット原稿の向きが異なると判定する（ステップ♯４１３）。そして、制御部１は、警告画面９２を表示パネル６１に表示させる（ステップ♯４１４）。ステップ♯４１４により残原稿の読み取り設定処理に移行する。
【００７０】
（残原稿の読み取り設定処理）
次に、図９〜図１１に基づき、実施形態に係る複合機１００での残原稿の読み取り設定処理を説明する。図９は、実施形態に係る残原稿の読み取り設定処理の一例を示すフローチャートである。図１０は、実施形態に係る警告画面９２の一例を示す図である。図１１は、実施形態に係る回転確認画面９３の一例を示す図である。
【００７１】
図９のスタートは、警告画面９２を表示パネル６１に表示した時点である（図８のステップ♯４１４）。まず、図１０を用いて、警告画面９２の一例を説明する。制御部１は、警告画面９２内に警告メッセージＭ１Ｍ１を表示させる。警告メッセージＭ１は、ジャム発生前のセット原稿と、再セット原稿の向きが異なることを知らせる。また、制御部１は、警告画面９２内に、回転読み取りボタンＢ２と、回転不要ボタンＢ３と、逐次確認ボタンＢ４を表示させる。
【００７２】
残原稿の読取画像データＤ１を自動的に回転させたいとき、使用者は、回転読み取りボタンＢ２を操作する。タッチパネル６２は、回転読み取りボタンＢ２の操作を回転読み取り指示として受け付ける。タッチパネル６２が回転読み取り指示を受け付けたとき、制御部１（画像処理部１２）は、残原稿の全ての読取画像データＤ１を１８０度回転させる。
【００７３】
残原稿の読取画像データＤ１を回転させたくないとき、使用者は、回転不要ボタンＢ３を操作する。タッチパネル６２は回転不要ボタンＢ３の操作を回転不要指示として受け付ける。タッチパネル６２が回転不要指示を受け付けたとき、制御部１（画像処理部１２）は、残原稿の読取画像データＤ１を回転させない。再セット時の原稿の向きに応じた読取画像データＤ１が得られる。
【００７４】
１枚ずつ、回転するか否かを決めたいとき、使用者は逐次確認ボタンＢ４を操作する。それぞれの残原稿向きをバラバラにしてしまったときに有効である。例えば、ジャム処理時に原稿束を落とした場合などに有効である。タッチパネル６２は逐次確認ボタンＢ４の操作を逐次確認指示として受け付ける。タッチパネル６２が逐次確認指示を受け付けたとき、制御部１（画像処理部１２）は、残原稿の読取画像データＤ１のうち、使用者により回転が選択された読取画像データＤ１のみ、１８０度回転させる。
【００７５】
タッチパネル６２の出力に基づき、制御部１は、タッチパネル６２が回転読み取り指示を受け付けたか否かを確認する（ステップ♯５１）。回転読み取り指示を受け付けていないとき（ステップ♯５１のＮｏ）、タッチパネル６２の出力に基づき、制御部１は、タッチパネル６２が回転不要指示を受け付けたか否かを確認する（ステップ♯５２）。回転不要指示を受け付けていないとき（ステップ♯５２のＮｏ）、タッチパネル６２の出力に基づき、制御部１は、タッチパネル６２が逐次確認指示を受け付けたか否かを確認する（ステップ♯５３）。逐次確認指示を受け付けていないとき（ステップ♯５３のＮｏ）、フローはステップ♯５１に戻る。
【００７６】
タッチパネル６２が回転読み取り指示を受け付けたとき（ステップ♯５１のＹｅｓ）、制御部１は、残原稿の搬送を原稿搬送部４に開始させる（ステップ♯５４）。制御部１は、残原稿の搬送開始を原稿搬送制御部４０に通知する。この通知に基づき、原稿搬送制御部４０は、原稿搬送モーター４７の回転を開始させる。これにより、残原稿が１枚ずつ最後のページまで自動的に搬送される。
【００７７】
また、制御部１は、残原稿のそれぞれを画像読取部５に読み取らせる（ステップ♯５５）。制御部１は、残原稿の読み取りを読取制御部５０に通知する。この通知に基づき、読取制御部５０は、残原稿の各ページを読取ユニット５３に読み取らせる。これにより、各残原稿の読取画像データＤ１が生成される。
【００７８】
さらに、制御部１（画像処理部１２）は、残原稿の全ての読取画像データＤ１を回転する（ステップ♯５６）。回転角度は、１８０度である。これにより、読取済原稿の読取画像データＤ１と、残原稿の読取画像データＤ１の向きを自動的に一致させることができる。向きを合わせるため、再セットした原稿を取り除き、原稿を再々セットする必要がない。そして、本フローは終了する（エンド）。
【００７９】
タッチパネル６２が回転不要指示を受け付けたとき（ステップ♯５２のＹｅｓ）、制御部１は、残原稿の搬送を原稿搬送部４に開始させる（ステップ♯５７）。制御部１は、残原稿の搬送開始を原稿搬送制御部４０に通知する。この通知に基づき、原稿搬送制御部４０は、原稿搬送モーター４７の回転を開始させる。これにより、残原稿が１枚ずつ最後のページまで自動的に搬送される。
【００８０】
また、制御部１は、残原稿のそれぞれを画像読取部５に読み取らせる（ステップ♯５８）。制御部１は、残原稿の読み取りを読取制御部５０に通知する。この通知に基づき、読取制御部５０は、残原稿の各ページを読取ユニット５３に読み取らせる。これにより、各残原稿の読取画像データＤ１が生成される。なお、制御部１は、残原稿の全ての読取画像データＤ１を回転しない（ステップ♯５９）。
【００８１】
タッチパネル６２が逐次確認指示を受け付けたとき（ステップ♯５３のＹｅｓ）、制御部１は、１枚のみ残原稿を原稿搬送部４に搬送させる（ステップ♯５１０）。制御部１は、１枚の残原稿の搬送開始を原稿搬送制御部４０に通知する。この通知に基づき、原稿搬送制御部４０は、１枚のみ原稿を搬送させる。１枚の残原稿の搬送後、原稿搬送制御部４０は、原稿搬送モーター４７及び搬送用回転体を停止させる。１枚の残原稿の読み取りが完了しても、原稿搬送制御部４０は、次の残原稿の給紙を直ちに開始しない（供給ローラー４２を回転させない）。
【００８２】
制御部１は、搬送される１枚の残原稿を画像読取部５に読み取らせる（ステップ♯５１１）。制御部１は、１枚の残原稿の読み取りを読取制御部５０に通知する。この通知に基づき、読取制御部５０は、１枚の残原稿を読取ユニット５３に読み取らせる。これにより、残原稿の読取画像データＤ１が１ページ分生成される。
【００８３】
そして、制御部１は、回転確認画面９３を表示パネル６１に表示させる（ステップ♯５１２）。図１１は回転確認画面９３の一例を示す図である。制御部１は、回転確認画面９３内に、第１縮小画像ｉ１を表示させる。第１縮小画像ｉ１は、直近に読み取った１枚の残原稿の読取画像データＤ１を縮小した画像である。制御部１（画像処理部１２）は、読取画像データＤ１を間引きして、予め定められたサイズの第１縮小画像ｉ１を生成する。
【００８４】
また、制御部１は、回転確認画面９３内に、第２縮小画像ｉ２を表示させる。第２縮小画像ｉ２は、回転の必要性の判断材料として表示される。直前のページの内容を参照して、回転させるべきか否かを判断することができる。第２縮小画像ｉ２は、直近に読み取った１枚の残原稿の１ページ前の原稿の読取画像データＤ１を縮小した画像である。制御部１（画像処理部１２）は、１ページ前の原稿の読取画像データＤ１を間引きして、予め定められたサイズの第２縮小画像ｉ２を生成する。
【００８５】
残原稿の先頭ページの原稿に対応する第１縮小画像ｉ１を表示するときも、制御部１は、第２縮小画像ｉ２を表示させる。この場合、第２縮小画像ｉ２は、ジャムの発生前に生成された読取画像データＤ１のうち、最後のページの原稿の読取画像データＤ１の縮小画像である。これにより、読取済枚数が正しいか否かを確認することができる。
【００８６】
また、制御部１は、回転ありボタンＢ５と回転なしボタンＢ６を回転確認画面９３内に表示させる。第１縮小画像ｉ１の確認の結果、読取画像データＤ１を回転させたいとき、使用者は回転ありボタンＢ５を操作する。タッチパネル６２は、回転ありボタンＢ５への操作を回転あり指示として受け付ける。第１縮小画像ｉ１の確認の結果、読取画像データＤ１を回転させたくないとき、使用者は回転なしボタンＢ６を操作する。タッチパネル６２は、回転なしボタンＢ６への操作を回転なし指示として受け付ける。
【００８７】
制御部１は、ステップ♯５１１の読み取りで得られた読取画像データＤ１を回転させる又は回転させない（ステップ♯５１３）。制御部１は、回転確認画面９３での操作に基づき、回転するか否かを定める。タッチパネル６２が回転あり指示を受け付けたとき、制御部１は、第１縮小画像ｉ１に対応する読取画像データＤ１を回転させる。回転角度は、１８０度である。操作部が回転なし指示を受け付けたとき、制御部１は、第１縮小画像ｉ１に対応する読取画像データＤ１を回転させない。
【００８８】
そして、原稿セットセンサー８１の出力に基づき、制御部１は、全原稿の読み取りが終わったか否かを確認する（ステップ♯５１４）。原稿トレイ４１に原稿が残っているとき（ステップ♯５１４のＮｏ）、フローは、ステップ♯５１０に戻る。全原稿の読み取りが終わったとき、本フローは終了する（エンド）。
【００８９】
このようにして、実施形態に係る画像読取装置（複合機１００）は原稿搬送部４、画像読取部５、記憶部２、表示部、操作部、制御部１を含む。原稿搬送部４は、原稿トレイ４１にセットされた原稿を１枚ずつ搬送する。画像読取部５は、原稿搬送部４により搬送される原稿を読み取り、読取画像データＤ１を生成する。記憶部２は、読取画像データＤ１を記憶する。表示部は、表示を行う。操作部は使用者の操作を受け付ける。制御部１は、ジャムの発生前の読み取りでページ全体を読み取ることができた原稿の枚数である読取済枚数を認識する。ジャム発生後、全原稿が原稿搬送部４に再セットされた状態で読み取りを再開する場合、制御部１は、再セットされた原稿の１枚目から前記読取済枚数分の原稿のうち、何れか１枚の原稿を確認対象原稿に設定する。制御部１は、読取済枚数分の原稿を原稿搬送部４に搬送させる。制御部１は、読取済枚数分の原稿のうち、確認対象原稿以外の原稿を画像読取部５に読み取らせない。制御部１は、確認対象原稿のみを画像読取部５に読み取らせる。読取済枚数分の原稿の搬送後、制御部１は、原稿トレイ４１に残っている原稿である残原稿の搬送を原稿搬送部４に一時停止させる。制御部１は、ジャムの発生前の読み取りで得られた確認対象原稿に対応する読取画像データＤ１である第１画像データと、読み取り再開後に確認対象原稿を読み取って得られた第２画像データを比較する。制御部１は、第１画像データと第２画像データの比較に基づき、原稿の向きが異なるか否かを判定する。原稿の向きが異なると判定したとき、制御部１は、表示部に警告を表示させる。
【００９０】
これにより、ジャム発生後に再セットされた原稿の向きがジャム発生前にセットされた原稿の向きと異なること検知することができる。そして、向きが異なることを使用者に警告することができる。従って、ジャム発生時、原稿の再セットミスを防ぐことができる。また、ジャム発生前に生成された読取画像データＤ１の向きと残原稿の読取画像データＤ１の向きを一致させることができる。
【００９１】
また、警告の表示後、操作部が回転読み取り指示を受け付けたとき、制御部１は、残原稿の搬送を原稿搬送部４に開始させる。制御部１は、残原稿を画像読取部５に読み取らせる。制御部１は、残原稿の読取画像データＤ１を回転する。制御部１は、ジャムの発生前に生成された読取画像データＤ１と、残原稿の読取画像データＤ１の向きを一致させる。これにより、残原稿の読取画像データＤ１の全てを自動的に回転させることができる。使用者は、回転読み取り指示を行うだけよい。向きを誤って原稿を再セットしても、自動的に全読取画像データＤ１の向きを一致させることができる。つまり、再セット原稿の向きがジャム発生前と異なっていても、全て同じ向きの読取画像データＤ１を得ることができる。原稿をセットし直す必要がない。使用者の作業負担を減らすことができる。
【００９２】
また、警告の表示後、操作部が回転不要指示を受け付けたとき、制御部１は、残原稿の搬送を原稿搬送部４に開始させる。制御部１は残原稿を画像読取部５に読み取らせる。制御部１は残原稿の読取画像データＤ１を回転しない。これにより、残原稿の読取画像データＤ１を回転しないようにすることができる。使用者は、回転不要指示を行うだけよい。使用者の希望に沿った読み取りを行うことができる。
【００９３】
また、第１画像データと第２画像データを比較するとき、制御部１は、第１画像データと第２画像データが同じか否かを判定する１次判定を行う。１次判定で同じでないと判定したとき、制御部１は、第２画像データを回転させた回転画像データを生成する。制御部１は、第１画像データと回転画像データが同じか否かを判定する２次判定を行う。２次判定で同じと判定したとき、制御部１は原稿の向きが異なると判定する。２次判定で同じでないと判定したとき、制御部１は正しい原稿の再セットを求めるメッセージを表示部に表示させる。これにより、ジャム発生前のセット原稿の向きと、ジャム発生後の再セット原稿の向きが異なるか否かを正確に判定することができる。また、ジャム発生前のセット原稿と、再セット原稿の内容が一致するか否かも、正確に判定することができる。ジャム発生前のセット原稿と再セット原稿が一致しないことを使用者に知らせることもできる。
【００９４】
また、１次判定で同じと判定したとき、制御部１は残原稿の搬送を原稿搬送部４に開始させる。制御部１は残原稿を画像読取部５に読み取らせる。制御部１は残原稿の読取画像データＤ１を回転しない。これにより、ジャム発生前のセット原稿と再セット原稿の内容が一致し、かつ、向きも同じ場合、通常の残原稿の読み取りを再開することができる。
【００９５】
警告の表示後、操作部が逐次確認指示を受け付けたとき、制御部１は、逐次確認指示、回転あり指示、又は、回転なし指示を受けるごとに、残原稿のうち、１枚のみを原稿搬送部４に搬送させる。制御部１は搬送される１枚の残原稿を画像読取部５に読み取らせる。残原稿を読み取るごとに、制御部１は残原稿の読み取りで得られた読取画像データＤ１を縮小した第１縮小画像ｉ１を表示部に表示させる。第１縮小画像ｉ１の表示後、操作部が回転あり指示を受け付けたとき、制御部１は第１縮小画像ｉ１に対応する読取画像データＤ１を回転させる。第１縮小画像ｉ１の表示後、操作部が回転なし指示を受け付けたとき、制御部１は第１縮小画像ｉ１に対応する読取画像データＤ１を回転させない。これにより、残原稿について、１枚ずつ、読取画像データＤ１を回転するか否かを選択することができる。各残原稿の読取画像データＤ１の縮小画像（第１縮小画像ｉ１）を表示することもできる。従って、原稿の向きが逆になっている原稿のみを正確に回転させることができる。読取画像データＤ１を回転させたい場合、使用者は回転あり指示を行うだけでよい。読取画像データＤ１を回転させたくない場合、使用者は回転なし指示を行うだけでよい。
【００９６】
また、残原稿のうち、先頭ページの原稿に対応する第１縮小画像ｉ１を表示するとき、制御部１は、第１縮小画像ｉ１とともに、ジャムの発生前に生成された読取画像データＤ１のうち、最後のページの原稿の読取画像データＤ１の縮小画像である第２縮小画像ｉ２を表示させる。これにより、ジャム発生前（最初）のセット原稿の向きと再セット原稿の向きが異なるか否かを判定しやすくすることができる。
【００９７】
また、確認対象原稿は、ジャム発生後、読み取り再開時に搬送する読取済枚数の原稿のうち、最後の原稿である。これにより、残原稿に最も順番が近い原稿に基づき、ジャム発生前（最初）のセット原稿の向きと再セット原稿の向きが異なるか否かを判定することができる。また、読み取り再開時に搬送する原稿を素早く搬送することができる。
【００９８】
また、制御部１は、読取画像データＤ１を回転するとき、１８０度回転させる。これにより、ジャム発生前（最初）のセット原稿の向きと再セット原稿の向きが異なっていても、全原稿の読取画像データＤ１の向きを一致させることができる。
【産業上の利用可能性】
【００９９】
本発明は、画像読取装置（画像形成装置）に利用可能である。
【符号の説明】
【０１００】
１００  複合機（画像読取装置）      １      制御部
２      記憶部                      ４      原稿搬送部
４１    原稿トレイ                  ５      画像読取部
６１    表示パネル（表示部）        ６２    タッチパネル（操作部）
６３    ハードキー（操作部）        １００  複合機（画像読取装置）
Ｄ１    読取画像データ              ｉ１    第１縮小画像
ｉ２    第２縮小画像
【図１】
2018186365.tif 000003
【図２】
2018186365.tif 000004
【図３】
2018186365.tif 000005
【図４】
2018186365.tif 000006
【図５】
2018186365.tif 000007
【図６】
2018186365.tif 000008
【図７】
2018186365.tif 000009
【図８】
2018186365.tif 000010
【図９】
2018186365.tif 000011
【図１０】
2018186365.tif 000012
【図１１】
2018186365.tif 000013